(57)【要約】【課題】  指動脈の細小血管における早期の動脈硬化の徴候を簡単に検査することができる指細小動脈拡張能検査方法、指細小動脈拡張能検査装置および指細小動脈拡張能検査プログラムを提供する。【解決手段】  所定のシーケンスにより圧迫される両手の各指動脈について、安静時および一方の前腕を駆血した後の再灌流時における脈波データを記憶する脈波データ記憶ステップと、脈波データ記憶ステップで記憶された脈波データに基づいて、脈波の交流成分の振幅を当該脈波の直流成分の平均値で除算してなるＮＰＶを一心拍ごとに算出するＮＰＶ算出ステップと、最高血圧から最低血圧を減算してなる脈圧を取得する脈圧データ取得ステップと、ＮＰＶ算出ステップで算出されたＮＰＶと、脈圧データ取得ステップで取得された脈圧とに基づいて、指動脈の血管拡張反応を示す指標（ＦＣＲ比）を一心拍ごとに算出するＦＣＲ比算出ステップとを有する。
2014054788.tif 000002
【特許請求の範囲】
【請求項１】
指動脈の血管拡張反応を検査する指細小動脈拡張能検査方法であって、
所定のシーケンスにより圧迫される両手の各指動脈について、安静時および一方の前腕を駆血した後の再灌流時における脈波データを記憶する脈波データ記憶ステップと、
前記脈波データ記憶ステップにおいて記憶された前記脈波データに基づいて、脈波の交流成分の振幅を当該脈波の直流成分の平均値で除算してなる規準化脈波容積（ＮＰＶ）を一心拍ごとに算出するＮＰＶ算出ステップと、
最高血圧から最低血圧を減算してなる脈圧（ＰＰ）を取得する脈圧データ取得ステップと、
前記ＮＰＶ算出ステップにおいて算出された規準化脈波容積（ＮＰＶ）を前記脈圧データ取得ステップにおいて取得された脈圧（ＰＰ）で除算してなるコンプライアンス指数の再灌流時における両手の比を、安静時における両手の比で規準化してなる、指動脈の血管拡張反応を示す指標（ＦＣＲ比）を一心拍ごとに算出するＦＣＲ比算出ステップと
を有する指細小動脈拡張能検査方法。
【請求項２】
前記ＦＣＲ比算出ステップでは、再灌流時における両手のコンプライアンス指数の比を、安静時における両手のコンプライアンス指数の比で除算することで規準化する、請求項１に記載の指細小動脈拡張能検査方法。
【請求項３】
前記ＦＣＲ比は下記式（１）で示される、請求項１または請求項２に記載の指細小動脈拡張能検査方法。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手を示す添え字
ｃ：駆血を行わない側の手を示す添え字
ｘ：安静時を示す添え字
ｙ：再灌流時を示す添え字
【請求項４】
前記各指動脈を圧迫するカフのカフ圧を記憶するカフ圧データ記憶ステップと、
前記ＮＰＶが最大となった後の時刻ｔにおける最高血圧（ＳＢＰｔ）を下記式（２）により算出し、その平均値を最高血圧（ＳＢＰ）として推定するＳＢＰ推定ステップと、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定ステップにおいて推定された最高血圧（ＳＢＰ）に基づいて、下記式（３）により脈圧推定値（ＰＰｓ）を算出する脈圧推定値算出ステップとを有し、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得ステップでは、前記脈圧推定値算出ステップにおいて算出された前記脈圧推定値を脈圧として取得する、請求項１から請求項３のいずれかに記載の指細小動脈拡張能検査方法。
【請求項５】
下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出ステップと、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出ステップと、
前記判別得点に基づいて、前記判別対象者が健常群か糖尿病群かを判別する糖尿病判別ステップと
を有する、請求項１から請求項４のいずれかに記載の指細小動脈拡張能検査方法。
【請求項６】
指動脈の血管拡張反応を検査する指細小動脈拡張能検査装置であって、
所定のシーケンスにより圧迫される両手の各指動脈について、安静時および一方の前腕を駆血した後の再灌流時における脈波データを記憶する脈波データ記憶部と、
前記脈波データ記憶部に記憶された前記脈波データに基づいて、脈波の交流成分の振幅を当該脈波の直流成分の平均値で除算してなる規準化脈波容積（ＮＰＶ）を一心拍ごとに算出するＮＰＶ算出部と、
最高血圧から最低血圧を減算してなる脈圧（ＰＰ）を取得する脈圧データ取得部と、
前記ＮＰＶ算出部が算出した規準化脈波容積（ＮＰＶ）を前記脈圧データ取得部が取得した脈圧（ＰＰ）で除算してなるコンプライアンス指数の再灌流時における両手の比を、安静時における両手の比で規準化してなる、指動脈の血管拡張反応を示す指標（ＦＣＲ比）を一心拍ごとに算出するＦＣＲ比算出部と
を有する指細小動脈拡張能検査装置。
【請求項７】
前記ＦＣＲ比算出部は、再灌流時における両手のコンプライアンス指数の比を、安静時における両手のコンプライアンス指数の比で除算することで規準化する、請求項６に記載の指細小動脈拡張能検査装置。
【請求項８】
前記ＦＣＲ比は下記式（１）で示される、請求項６または請求項７に記載の指細小動脈拡張能検査装置。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手を示す添え字
ｃ：駆血を行わない側の手を示す添え字
ｘ：安静時を示す添え字
ｙ：再灌流時を示す添え字
【請求項９】
前記各指動脈を圧迫するカフのカフ圧を記憶するカフ圧データ記憶部と、
前記ＮＰＶが最大となった後の時刻ｔにおける最高血圧（ＳＢＰｔ）を下記式（２）により算出し、それらの平均値を最高血圧（ＳＢＰ）として推定するＳＢＰ推定部と、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定部が推定した最高血圧（ＳＢＰ）に基づいて、下記式（３）により脈圧推定値（ＰＰｓ）を算出する脈圧推定値算出部とを有し、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得部は、前記脈圧推定値算出部が算出した前記脈圧推定値を脈圧として取得する、請求項６から請求項８のいずれかに記載の指細小動脈拡張能検査装置。
【請求項１０】
下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出部と、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出部と、
前記判別得点に基づいて、前記判別対象者が健常群か糖尿病群かを判別する糖尿病判別部と
を有する、請求項６から請求項９のいずれかに記載の指細小動脈拡張能検査装置。
【請求項１１】
指動脈の血管拡張反応を検査する指細小動脈拡張能検査プログラムであって、
所定のシーケンスにより圧迫される両手の各指動脈について、安静時および一方の前腕を駆血した後の再灌流時における脈波データを記憶する脈波データ記憶部と、
前記脈波データ記憶部に記憶された前記脈波データに基づいて、脈波の交流成分の振幅を当該脈波の直流成分の平均値で除算してなる規準化脈波容積（ＮＰＶ）を一心拍ごとに算出するＮＰＶ算出部と、
最高血圧から最低血圧を減算してなる脈圧（ＰＰ）を取得する脈圧データ取得部と、
前記ＮＰＶ算出部が算出した規準化脈波容積（ＮＰＶ）を前記脈圧データ取得部が取得した脈圧（ＰＰ）で除算してなるコンプライアンス指数の再灌流時における両手の比を、安静時における両手の比で規準化してなる、指動脈の血管拡張反応を示す指標（ＦＣＲ比）を一心拍ごとに算出するＦＣＲ比算出部と
してコンピュータを機能させる指細小動脈拡張能検査プログラム。
【請求項１２】
前記ＦＣＲ比算出部は、再灌流時における両手のコンプライアンス指数の比を、安静時における両手のコンプライアンス指数の比で除算することで規準化する、請求項１１に記載の指細小動脈拡張能検査プログラム。
【請求項１３】
前記ＦＣＲ比は下記式（１）で示される、請求項１１または請求項１２に記載の指細小動脈拡張能検査プログラム。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手を示す添え字
ｃ：駆血を行わない側の手を示す添え字
ｘ：安静時を示す添え字
ｙ：再灌流時を示す添え字
【請求項１４】
前記各指動脈を圧迫するカフのカフ圧を記憶するカフ圧データ記憶部と、
前記ＮＰＶが最大となった後の時刻ｔにおける最高血圧（ＳＢＰｔ）を下記式（２）により算出し、それらの平均値を最高血圧（ＳＢＰ）として推定するＳＢＰ推定部と、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定部が推定した最高血圧（ＳＢＰ）に基づいて、下記式（３）により脈圧推定値（ＰＰｓ）を算出する脈圧推定値算出部としてコンピュータを機能させるとともに、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得部は、前記脈圧推定値算出部が算出した前記脈圧推定値を脈圧として取得する、請求項１１から請求項１３のいずれかに記載の指細小動脈拡張能検査プログラム。
【請求項１５】
下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出部と、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出部と、
前記判別得点に基づいて、前記判別対象者が健常群か糖尿病群かを判別する糖尿病判別部と
してコンピュータを機能させる、請求項１１から請求項１４のいずれかに記載の指細小動脈拡張能検査プログラム。
【発明の詳細な説明】
【技術分野】
【０００１】
本発明は、指動脈の細小血管における早期の動脈硬化の徴候を検査するのに好適な指細小動脈拡張能検査方法、指細小動脈拡張能検査装置および指細小動脈拡張能検査プログラムに関するものである。
【背景技術】
【０００２】
近年、血管の内皮機能は動脈硬化の最早期に障害されるため、心血管疾患や糖尿病などの生活習慣病のプレクリニカル段階での診断に有望視されている。世界の臨床現場で用いられている最も標準的な検査法（内皮依存血流介在上腕動脈拡張検査：ＦＭＤ法）は、前腕部を５分間駆血した後にその駆血を解除して反応性充血を惹起させる。そして、再灌流後のおよそ１分後に最大となる血流依存性拡張反応を超音波診断装置で計測し、上腕動脈の直径の最大増加率（％ＦＭＤ）を測定している。【０００３】
また、指尖脈波を利用して反応性充血時の脈動振幅の増加（ＰＡＴ比）を評価する（ＦＭＤ法で査定される再灌流後の初期反応より遅い９０秒後からの遅延反応を評価する）、いわゆる末梢動脈トノメトリ検査（Ｅｎｄｏ−ＰＡＴ法）がイスラエルで製品化され臨床応用が広まりつつある。【０００４】
さらに、指尖脈波を利用するものとして、脈波ピーク値と脈波ベース値との差から血管内皮機能レベルを評価する評価手段、上腕の駆血前、及び血流再開された後の脈波の収縮期圧に占める反射波成分の割合（ＡＩ）から血管内皮機能レベルを評価する評価手段、及び加速度脈波の脈波特徴量として血管老化年齢指数（ＡＧ）を用いて血管内皮機能レベルを評価する評価手段等を有する血管内皮機能評価システムも提案されている（特許文献１）。
【先行技術文献】
【特許文献】
【０００５】
【特許文献１】特開２０１１−１８９０８０号公報
【発明の概要】
【発明が解決しようとする課題】
【０００６】
しかしながら、全身の動脈硬化が細小血管から始まるという生理学上の学説に従えば，上腕動脈という大きな血管を評価対象としている上述のＦＭＤ法は、動脈硬化の徴候を最早期に捉えるには必ずしも適さない。また、血流依存性拡張反応の計測に必要な超音波診断装置が高価な上、その画像解析に主観が入り易く検者の熟練を要するという問題もある。【０００７】
また、上述したＥｎｄｏ−ＰＡＴ法は、指動脈の脈動振幅が検査指血管の器質的スティフネス（もともとの硬さ）および検査時の血圧の両方に影響されることが明白であるにも関わらず、それらの影響は全く考慮されていないという問題がある。また、Ｅｎｄｏ−ＰＡＴ法が評価する遅延反応（再灌流後９０秒〜１５０秒における反応）と、上記ＦＭＤ法が評価する初期反応（再灌流後３０秒〜６０秒における反応）とは相関性が低く、互いに独自の病態生理学的意義や臨床的意義を有することが定説となっている。【０００８】
さらに、特許文献１に記載された発明においては、反射波も複合した脈波の波形を分析するものであり、反射にかかわる複雑な影響因子により規定されるため、その生理学的解釈が極めて難しいという問題がある。また、特許文献１では、指にかける外圧を駆血前の事前測定により決定した一定値を最適圧力として、検査中に変化させず固定している。このため、再灌流後の血圧が安静時に比べて大きく変化すると、安静時に事前決定した圧は最適圧力とは言えなくなるため、正しい評価を行うことができないという問題もある。【０００９】
本発明は、このような問題点を解決するためになされたものであって、指動脈の細小血管における早期の動脈硬化の徴候を簡単に検査することができる指細小動脈拡張能検査方法、指細小動脈拡張能検査装置および指細小動脈拡張能検査プログラムを提供することを目的としている。
【課題を解決するための手段】
【００１０】
本発明に係る指細小動脈拡張能検査方法は、指動脈の血管拡張反応を検査する指細小動脈拡張能検査方法であって、所定のシーケンスにより圧迫される両手の各指動脈について、安静時および一方の前腕を駆血した後の再灌流時における脈波データを記憶する脈波データ記憶ステップと、前記脈波データ記憶ステップにおいて記憶された前記脈波データに基づいて、脈波の交流成分の振幅を当該脈波の直流成分の平均値で除算してなる規準化脈波容積（ＮＰＶ）を一心拍ごとに算出するＮＰＶ算出ステップと、最高血圧から最低血圧を減算してなる脈圧（ＰＰ）を取得する脈圧データ取得ステップと、前記ＮＰＶ算出ステップにおいて算出された規準化脈波容積（ＮＰＶ）を前記脈圧データ取得ステップにおいて取得された脈圧（ＰＰ）で除算してなるコンプライアンス指数の再灌流時における両手の比を、安静時における両手の比で規準化してなる、指動脈の血管拡張反応を示す指標（ＦＣＲ比）を一心拍ごとに算出するＦＣＲ比算出ステップとを有する。【００１１】
また、本発明の一態様として、前記ＦＣＲ比算出ステップでは、再灌流時における両手のコンプライアンス指数の比を、安静時における両手のコンプライアンス指数の比で除算することで規準化してもよい。【００１２】
さらに、本発明の一態様として、前記ＦＣＲ比は下記式（１）で示されてもよい。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手を示す添え字
ｃ：駆血を行わない側の手を示す添え字
ｘ：安静時を示す添え字
ｙ：再灌流時を示す添え字【００１３】
また、本発明の一態様として、前記各指動脈を圧迫するカフのカフ圧を記憶するカフ圧データ記憶ステップと、前記ＮＰＶが最大となった後の時刻ｔにおける最高血圧（ＳＢＰｔ）を下記式（２）により算出し、その平均値を最高血圧（ＳＢＰ）として推定するＳＢＰ推定ステップと、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定ステップにおいて推定された最高血圧（ＳＢＰ）に基づいて、下記式（３）により脈圧推定値（ＰＰｓ）を算出する脈圧推定値算出ステップとを有し、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得ステップでは、前記脈圧推定値算出ステップにおいて算出された前記脈圧推定値を脈圧として取得してもよい。【００１４】
さらに、本発明の一態様として、下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出ステップと、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出ステップと、前記判別得点に基づいて、前記判別対象者が健常群か糖尿病群かを判別する糖尿病判別ステップとを有していてもよい。【００１５】
また、本発明に係る指細小動脈拡張能検査装置は、指動脈の血管拡張反応を検査する指細小動脈拡張能検査装置であって、所定のシーケンスにより圧迫される両手の各指動脈について、安静時および一方の前腕を駆血した後の再灌流時における脈波データを記憶する脈波データ記憶部と、前記脈波データ記憶部に記憶された前記脈波データに基づいて、脈波の交流成分の振幅を当該脈波の直流成分の平均値で除算してなる規準化脈波容積（ＮＰＶ）を一心拍ごとに算出するＮＰＶ算出部と、最高血圧から最低血圧を減算してなる脈圧（ＰＰ）を取得する脈圧データ取得部と、前記ＮＰＶ算出部が算出した規準化脈波容積（ＮＰＶ）を前記脈圧データ取得部が取得した脈圧（ＰＰ）で除算してなるコンプライアンス指数の再灌流時における両手の比を、安静時における両手の比で規準化してなる、指動脈の血管拡張反応を示す指標（ＦＣＲ比）を一心拍ごとに算出するＦＣＲ比算出部とを有する。また、本発明に係る指細小動脈拡張能検査プログラムは、上記各構成部としてコンピュータを機能させるものである。【００１６】
また、本発明の一態様として、前記ＦＣＲ比算出部は、再灌流時における両手のコンプライアンス指数の比を、安静時における両手のコンプライアンス指数の比で除算することで規準化してもよい。【００１７】
さらに、本発明の一態様として、前記ＦＣＲ比は下記式（１）で示されてもよい。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手を示す添え字
ｃ：駆血を行わない側の手を示す添え字
ｘ：安静時を示す添え字
ｙ：再灌流時を示す添え字【００１８】
また、本発明の一態様として、前記各指動脈を圧迫するカフのカフ圧を記憶するカフ圧データ記憶部と、前記ＮＰＶが最大となった後の時刻ｔにおける最高血圧（ＳＢＰｔ）を下記式（２）により算出し、それらの平均値を最高血圧（ＳＢＰ）として推定するＳＢＰ推定部と、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定部が推定した最高血圧（ＳＢＰ）に基づいて、下記式（３）により脈圧推定値（ＰＰｓ）を算出する脈圧推定値算出部とを有し、または、上記各構成部としてコンピュータを機能させるとともに、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得部は、前記脈圧推定値算出部が算出した前記脈圧推定値を脈圧として取得してもよい。【００１９】
さらに、本発明の一態様として、下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出部と、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出部と、前記判別得点に基づいて、前記判別対象者が健常群か糖尿病群かを判別する糖尿病判別部とを有していてもよく、上記各構成部としてコンピュータを機能させてもよい。
【発明の効果】
【００２０】
本発明によれば、指動脈の細小血管における早期の動脈硬化の徴候を簡単に検査することができる。
【図面の簡単な説明】
【００２１】
【図１】本実施形態の指細小動脈拡張能検査装置および指細小動脈拡張能検査プログラムの一実施形態を示すブロック図である。
【図２】本実施形態のシーケンスにより圧迫試行した際の時間経過に対するカフ圧およびＮＰＶの関係を示すグラフである。
【図３】本発明に係るＦＣＲ法と、従来のＥｎｄｏ−ＰＡＴ法との比較結果を示す表である。
【図４】本発明に係る指細小動脈拡張能検査方法の一実施形態を示すフローチャート図である。
【図５】本実施形態の測定プロトコルを示す図である。
【図６】実施例２において、高経壁圧成分における原法と簡易法との一致度を示すグラフである。
【図７】実施例２において、低経壁圧成分における原法と簡易法との一致度を示すグラフである。
【図８】実施例３における実験結果を示す図である。
【図９】実施例４における試作機の外観を示す写真である。
【図１０】実施例４における試作ソフトウエアによる測定中の波形モニター画面である。
【図１１】実施例５において、（ａ）実験結果を示すグラフ、および（ｂ）脈圧および平均血圧の血圧変化量を示すグラフである。
【図１２】実施例６における実験結果を示すグラフである。
【図１３】実施例７において、（ａ）ＦＣＲ比とＦＥＩとの関係を示すグラフ、（ｂ）判別得点の平均値を示すグラフ、および（ｃ）判別得点と指平均血圧との関係を示すグラフである。
【図１４】実施例９において、（ａ）ＦＣＲ比のみを用いた場合、（ｂ）ＦＣＲ比とＦＥＩを併用した場合、および（ｃ）ＦＣＲ比とＦＥＩに加えて指平均血圧を併用した場合の各場合における、糖尿病患者の判別的中率を示す結果である。
【発明を実施するための形態】
【００２２】
本発明に係る指細小動脈拡張能検査方法、指細小動脈拡張能検査装置および指細小動脈拡張能検査プログラム（以下、総称してＦＣＲ（Finger arterial Compliance Response test）法と表記する場合がある）は、本願発明者が提案する、指動脈の細小血管における早期の動脈硬化の徴候を評価するための新たな指標であるＦＣＲ比（Finger arterial Compliance Response：指動脈の血管拡張反応）を算出するのに好適なものである。
【００２３】
以下、本発明に係る指細小動脈拡張能検査方法、指細小動脈拡張能検査装置および指細小動脈拡張能検査プログラムの一実施形態について図面を用いて説明する。
【００２４】
図１に示すように、本実施形態の指細小動脈拡張能検査装置１は、主として、指を圧迫するための指圧迫手段２と、脈波を検出するための脈波検出手段３と、本実施形態の指細小動脈拡張能検査プログラム１ａや各種のデータを記憶する記憶手段４と、これら各構成手段を制御するとともに各種のデータを取得して演算処理を実行する演算処理手段５とから構成されている。以下、各構成手段についてより詳細に説明する。
【００２５】
指圧迫手段２は、被験者の指動脈を所望の圧力値で圧迫するものである。本実施形態において、指圧迫手段２は、指に巻き付けられて面ファスナーにより着脱可能な一対のカフ２１，２１と、これらカフ２１，２１に空気を送り込む空気ポンプ２２とを有している。本実施形態において、カフ２１，２１は両手の人指し指にそれぞれ装着され、指動脈を圧迫するようになっている。また、空気ポンプ２２は、後述するカフ圧制御部５１によって自動制御され、両手の指動脈を所定のシーケンスで圧迫するようになっている。なお、指圧迫手段２の着脱方法は面ファスナーに限定されず、他の着脱手段でもよい。
【００２６】
脈波検出手段３は、指動脈における容積変化を示す容積脈波を検出するものである。本実施形態において、脈波検出手段３は、光量を検出する光電式センサ３１と、この光電式センサ３１からの出力信号を増幅して脈波データとして出力する脈波アンプ３２とを有している。なお、本実施形態では、脈波データとして、光電容積脈波データ（ＦＰＧ）を検出しているが、これに限定されるものではない。
【００２７】
光電式センサ３１は、指の爪に固定されるＬＥＤ（Light Emitting Diode）等の発光部３１ａと、この発光部３１ａと対向する位置において指の腹側に配置されるフォトダイオード等の受光部３１ｂとを備えており、発光部３１ａから発光されて指を透過した透過光量を受光部３１ｂで検出する。また、脈波アンプ３２は、増幅した脈波データを後述する脈波データ記憶部４２へ出力するようになっている。
【００２８】
なお、本実施形態において、カフ２１は受光部３１ｂと一体化されており、当該受光部３１ｂを指の腹に配置するとともに、発光部３１ａを指の爪に固定した状態で指に巻き付け、面ファスナー等で留めることにより固定されるようになっている。このため、径の異なる複数サイズのカフ２１を用意する必要がなく、一種類のカフ２１で複数の被験者の指径に最適な装着が可能となる。また、発光部３１ａと受光部３１とが指に密着し、指圧迫の経過に伴う光路のずれが最小限に抑えられる。
【００２９】
記憶手段４は、各種のデータを記憶するとともに、演算処理手段５が演算処理を行う際のワーキングエリアとして機能するものである。本実施形態において、記憶手段４は、ハードディスク、ＲＯＭ（Read Only Memory）、ＲＡＭ（Random Access Memory）、フラッシュメモリ等で構成されており、図１に示すように、本実施形態の指細小動脈拡張能検査プログラム１ａを格納するプログラム記憶部４１と、脈波データ記憶部４２と、カフ圧データ記憶部４３とを有している。
【００３０】
プログラム記憶部４１には、本実施形態の指細小動脈拡張能検査プログラム１ａがインストールされている。この指細小動脈拡張能検査プログラム１ａが演算処理手段５によって実行されることにより、後述する各構成部としてコンピュータを機能させるようになっている。なお、指細小動脈拡張能検査プログラム１ａの利用形態は、上記構成に限られるものではない。例えば、ＣＤ−ＲＯＭやＤＶＤ−ＲＯＭ等のように、コンピュータで読み取り可能な記録媒体に指細小動脈拡張能検査プログラム１ａを記憶させておき、当該記録媒体から直接読み出して実行してもよい。また、外部サーバ等からＡＳＰ（Application Service Provider）方式やクラウドコンピューティング方式で利用してもよい。
【００３１】
脈波データ記憶部４２は、脈波検出手段３により検出された脈波データを記憶するものである。本実施形態において、脈波データ記憶部４２は、指圧迫手段２により所定のシーケンスで圧迫される両手の各指動脈について、安静時における脈波データを記憶するとともに、別途、一方の手の前腕を所定時間、所定の圧力で駆血した後の再灌流時における脈波データを記憶する。
【００３２】
カフ圧データ記憶部４３は、カフ２１が指動脈を圧迫する際のカフ圧に関するデータを記憶するものである。本実施形態において、カフ圧データ記憶部４３は、安静時および再灌流時のそれぞれにつき、両手に装着される各カフ２１，２１のカフ圧がそれぞれ記憶されるようになっている。
【００３３】
演算処理手段５は、ＣＰＵ（Central Processing Unit）等から構成されており、指細小動脈拡張能検査プログラム１ａを実行することにより、カフ圧制御部５１と、ＮＰＶ算出部５２と、脈圧データ取得部５３と、ＳＢＰ推定部５４と、脈圧推定値算出部５５と、ＦＣＲ比算出部５６として機能するようになっている。以下、各構成部についてより詳細に説明する。
【００３４】
カフ圧制御部５１は、空気ポンプ２２を自動制御し、カフ２１，２１によるカフ圧を自在に調節するものである。本実施形態において、カフ圧制御部５１は、脈波の振幅が最大となる時刻を含む２５秒間は、カフ圧を０から一定速度で増加させ、その後、カフ圧が０に戻るまでの５秒間は圧迫を解除するという試行動作を一つのシーケンスとし、このシーケンスを６回（計３分間）繰り返すように指圧迫手段２を自動制御するようになっている。なお、本実施形態において、カフ圧制御部５１は、常にカフ圧データを取得し、カフ圧データ記憶部４３に記憶させている。
【００３５】
ＮＰＶ算出部５２は、脈波振幅に正比例する規準化脈波容積（Normalized Pulse Volume：ＮＰＶ＝ΔＩ／Ｉ）を算出するものである。ここで、脈動変化分の透過光量（ΔＩ）は、脈波の交流成分の振幅によって決定される。また、指（組織＋血液）の透過光量（Ｉ）は、同時刻における脈波の直流成分の平均値によって決定される。したがって、ＮＰＶ算出部５２は、脈波データ記憶部４２に記憶された脈波データに基づいて、脈波の交流成分の振幅を同時刻における脈波の直流成分の平均値で除算することにより、規準化脈波容積（ＮＰＶ）を一心拍ごとに算出するようになっている。
【００３６】
脈圧データ取得部５３は、最高血圧（ＳＢＰ）から最低血圧（ＤＢＰ）を減算してなる脈圧（ＰＰ）を取得するものである。本実施形態において、脈圧データ取得部５３は、脈圧の実測値を脈圧として取得してもよい。この場合、脈圧の実測値は、例えば、指動脈の血圧を容積補償法により計測可能な連続血圧計（株式会社メディセンス製ＭＵＢ）等から取得することができる。
【００３７】
ただし、上記連続血圧計は大型で高価であるため、試験・研究目的での導入は可能であるものの、一般の病院等に連続血圧計を導入するのは現実的には困難である。また、仮に連続血圧計を導入して測定したとしても台数に限りがあるし、１人あたりにかかる計測時間が長時間になるため、健康診断のように多人数の同時測定に対応することはできず、実用的ではないという問題もある。
【００３８】
このため、本実施形態において、脈圧データ取得部５３は、以下に詳述するように、脈波から推定される脈圧推定値（ＰＰｓ）を脈圧として取得してもよい。なお、以下の説明において、脈圧の実測値を用いるＦＣＲ法を「原法」といい、脈圧の推定値を用いるＦＣＲ法を「簡易法」という。
【００３９】
以下、一般的なオシロメトリック法と比較しつつ、本ＦＣＲ法における脈圧の推定方法について説明する。一般的に、血圧を測定する際、上腕にカフ（腕帯）を巻き、そこに空気を送り込んで血管を圧迫し、いったん血液の流れを止める。その後、徐々に圧迫を緩めていくと、血液の圧力が血管を圧迫しているカフの圧力を上回る。こうして血液が心臓の拍動に合わせて断続的に流れ始める。
【００４０】
オシロメトリック法では、カフを加圧した後、減圧していく段階で、心臓の拍動に同調した血管壁の振動を反映したカフ圧の変動（圧脈波）をチェックすることによって血圧値を決定する。一般的には、圧脈波が急激に大きくなったときのカフ圧が最高血圧、急激に小さくなったときのカフ圧が最低血圧とされる。
【００４１】
一方、測定部位を指血管とし、上記の減圧手順を増圧手順に変えて、上述したシーケンスにより圧迫試行した際の時間経過に対するカフ圧およびＮＰＶの関係を図２に示す。一般的なオシロメトリック法では、平均血圧（ＭＢＰ）は脈波振幅が最大となる時のカフ圧で測定し、最高血圧（ＳＢＰ）は脈波振幅が急激に小さくなったときのカフ圧で測定する。なお、図２に示すＮＰＶは脈波振幅に正比例するものである。しかし、この方法では、平均血圧（ＭＢＰ）と最高血圧（ＳＢＰ）とが時間的に数秒離れた時刻で１つずつ決定されるため、推定すべき脈圧は当該数秒間の血圧変動に大きく影響される。
【００４２】
そこで、図２に示すように、平均血圧（ＭＢＰ）の決定時刻以降、脈が完全に消失するまでの数拍について、最大の脈波振幅に対する当該拍の脈波振幅の比から最高血圧（ＳＢＰ）を一拍毎に推定し、その平均値を最高血圧（ＳＢＰ）とすれば、平均血圧（ＭＢＰ）の決定時刻により接近した時刻の平均化された最高血圧（ＳＢＰ）が求められるため、上述した血圧変動の影響が少ない平均血圧（ＭＢＰ）、最高血圧（ＳＢＰ）および脈圧推定値（ＰＰｓ）の組が得られることとなる。
【００４３】
なお、図２に示すように、上述した１シーケンスにおいて、時刻０からカフ圧が平均血圧（ＭＢＰ）の１／２となる時刻までは、経壁圧（平均血圧−カフ圧）が高い区間であるため、極めて細かい細動脈、および細動脈よりもやや太い小動脈の双方が寄与する領域といえる。一方、カフ圧が平均血圧（ＭＢＰ）の１／２となる時刻から、カフ圧が平均血圧（ＭＢＰ）となる時刻までは、経壁圧（平均血圧−カフ圧）が低く、細動脈が圧閉されているため、主として小動脈が寄与している領域といえる。
【００４４】
以上において、ＳＢＰ推定部５４は、脈圧推定値（ＰＰｓ）の算出に必要な最高血圧（ＳＢＰ）を推定するものである。具体的には、ＳＢＰ推定部５４は、ＮＰＶ算出部５２が算出したＮＰＶを取得するとともに、ＮＰＶが最大となる時刻を検出し、当該時刻以降の時刻ｔにおけるカフ圧（ＦＣｔ）をカフ圧データ記憶部４３から取得する。そして、ＮＰＶが最大となった後の時刻ｔにおける最高血圧（ＳＢＰｔ）を下記式（２）により算出し、それらの平均値を最高血圧（ＳＢＰ）として推定するようになっている。
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
【００４５】
脈圧推定値算出部５５は、ＳＢＰ推定部５４が推定した最高血圧（ＳＢＰ）に基づいて脈圧推定値（ＰＰｓ）を算出するものである。具体的には、脈圧推定値算出部５５は、ＮＰＶが最大となった時刻におけるカフ圧を平均血圧（ＭＢＰ）としてカフ圧データ記憶部４３から取得するとともに、ＳＢＰ推定部５４が推定した最高血圧（ＳＢＰ）を取得し、下記式（３）により脈圧推定値（ＰＰｓ）を算出するようになっている。
ＰＰｓ＝（ＳＢＰ−ＭＢＰ）×３／２  …式（３）
但し、ＭＢＰ（平均血圧）：ＮＰＶが最大となった時のカフ圧
【００４６】
ＦＣＲ比算出部５６は、指動脈の血管拡張反応を示す指標（ＦＣＲ比）を算出するものである。本願発明者は、反応性充血時の指細小動脈における動脈コンプライアンスの増加を標的とし、その時点の血管にかかる実効圧（経壁圧）、および試験指の血管に固有のスティフネスの影響も同時に査定することを目的とし、下記式（１）によりＦＣＲ比を定義した。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ（コンプライアンス指数）＝ＮＰＶ／ＰＰ
ｒ：駆血を行った側の手を示す添え字
ｃ：駆血を行わない側の手を示す添え字
ｘ：安静時を示す添え字
ｙ：再灌流時を示す添え字
【００４７】
なお、上腕動脈などの大血管ではなく、指の細小血管を標的にする理由は、全身の動脈硬化が細小血管からはじまるとの生理学上の仮説、および糖尿病や高血圧などの細小血管障害の臨床診断に適するため、これらの最早期診断に応用するためである。
【００４８】
以上において、ＦＣＲ比算出部５６は、ＮＰＶ算出部５２が算出した規準化脈波容積（ＮＰＶ）と、脈圧データ取得部５３が取得した脈圧（ＰＰ）とに基づいて、上記式（１）により指動脈の血管拡張反応を示す指標（ＦＣＲ比）を一心拍ごとに算出するようになっている。
【００４９】
また、上述したとおり、本ＦＣＲ法に係る原法では、脈圧データ取得部５３が脈圧の実測値を脈圧として取得し、ＦＣＲ比算出部５６が当該実測値を用いてＦＣＲ比を算出する。一方、本ＦＣＲ法に係る簡易法では、脈圧データ取得部５３が、脈圧推定値算出部５５が算出した脈圧推定値を脈圧として取得し、ＦＣＲ比算出部５６が当該脈圧推定値を用いてＦＣＲ比を算出することとなる。
【００５０】
なお、上記式（１）において、ＣＩは、上記のとおり、ＮＰＶをＰＰで除算してなる指動脈のコンプライアンス指数である。また、上記式（１）において、右辺の第２項は、左右の手のそれぞれのコンプライアンス指数の間に恒常的に存在する左右差であり、ＦＣＲ法による駆血前の安静時に測定される。
【００５１】
すなわち、ＦＣＲ比とは、ＮＰＶをＰＰで除算してなるコンプライアンス指数の再灌流時における両手の比を、安静時における両手の比で規準化してなるものである。そして、本実施形態では、再灌流時における両手のコンプライアンス指数の比を、安静時における両手のコンプライアンス指数の比で除算することで規準化している。なお、上記式（１）では、各比の自然対数を取っているため、減算表示となっている。また、規準化する方法は、上記に限られるものではなく、安静時における両手の比で規準化しうるものであれば、適宜選択してもよい。
【００５２】
また、上記式（１）は下記式（５）で表すことができるところ、Ｅｎｄｏ−ＰＡＴ法では、下記式（５）の脈圧を全く考慮していない。
ＦＣＲ比＝［ｌｎ（ＮＰＶｒ／ＮＰＶｃ）］ｙ−［ｌｎ（ＮＰＶｒ／ＮＰＶｃ）］ｘ
−（［ｌｎ（ＰＰｒ／ＰＰｃ）］ｙ−［ｌｎ（ＰＰｒ／ＰＰｃ）］ｘ）  …式（５）
本願発明者の予備実験では、再灌流後１分までは脈圧が著明に低下するため（すなわちＰＰｒの低下と代償性のＰＰｃの上昇）、Ｅｎｄｏ−ＰＡＴ法では、再灌流後１分３０秒までの初期反応は評価できない。Ｅｎｄｏ−ＰＡＴ法におけるＰＡＴ比は、再灌流後１分３０秒から３分までの平均、すなわち図２に示すように、反応性充血遅延反応を評価対象にするのはこのためと思われる。
【００５３】
なお、Ｅｎｄｏ−ＰＡＴ法においても両側性に生じる交感神経トーヌスの影響を除去する目的で、上記式（５）で示されるのと同様に、駆血側と統制側の圧脈波振幅の比を安静時の比で規準化したＰＡＴ比を算出している。したがって、両手の指動脈から同時に脈波を測定し、カフ圧の両側比（ＦＣｒ／ＦＣｃ）を算出する方法は、Ｅｎｄｏ−ＰＡＴ法と同様、交感神経トーヌスの影響を除く効果だけではなく、脈波とカフ圧だけから脈圧の両側比（ＰＰｒ／ＰＰｃ）を推定するための新しい手段を提供するものといえる。
【００５４】
ただし、Ｅｎｄｏ−ＰＡＴ法も血管の内皮機能の活性化を評価する方法であるが、当該評価は、学術的な証拠が最も多く存在する「血管内皮から分泌されるＮＯ（一酸化窒素）の刺激による血管平滑筋の弛緩」に基づいている。しかしながら、上述したとおり、Ｅｎｄｏ−ＰＡＴ法におけるＰＡＴ比は、駆血側と統制側の圧脈波振幅の比を安静時の比で規準化したものである。すなわち、ＰＡＴ比は、血管が柔らかくなった結果生じる間接的な効果（二次的現象）を評価しているに過ぎない。これに対し、本発明に係るＦＣＲ法は、血管の柔軟性に相当するコンプライアンスを標的指標としており、当該コンプライアンスの増加によって血管平滑筋の弛緩を直接的に評価するものといえる。
【００５５】
また、血管内皮機能の評価に影響を与える主な要因として、脈圧（ΔＰ）および経壁圧（平均血圧−カフ圧）が存在するところ、Ｅｎｄｏ−ＰＡＴ法の標的指標である脈動容積（ΔＶ）は、コンプライアンスに脈圧を乗じたものであるため、脈圧の上昇に伴って上昇してしまう。また、Ｅｎｄｏ−ＰＡＴ法では、カフ圧が一定であるため、平均血圧の変化に伴って経壁圧が変化してしまうとともに、コンプライアンスは経壁圧の関数でもあるため、標的指標である脈動容積（ΔＶ）は、経壁圧やコンプライアンスに依存して変化してしまう。つまり、Ｅｎｄｏ−ＰＡＴ法の標的指標である脈動容積（ΔＶ）は、影響因子である脈圧および経壁圧に対して独立性を有していない。
【００５６】
これに対し、ＦＣＲ法では、コンプライアンスを標的指標とすることにより、脈圧による影響を取り除いている。また、上記のとおり、コンプライアンスは経壁圧の関数であるところ、当該経壁圧の全範囲において計測したコンプライアンスの平均値を用いるため、経壁圧の影響も受けない。よって、ＦＣＲ法は、影響因子である脈圧および経壁圧に対して独立性を有しており、Ｅｎｄｏ−ＰＡＴ法と比較して理論的に優れているといえる。
【００５７】
また、血管内皮機能の評価に影響を与える他の要因としては、血管の拡張に対する抵抗因子である動脈のスティフネス（硬さ）が存在する。この点、ＦＣＲ法では、血管平滑筋の弛緩により増大したコンプライアンスに伴って増加する動脈の容積を計測しているが、Ｅｎｄｏ−ＰＡＴ法では計測できない。また、血管が硬い場合でも、ＦＣＲ法の実施直前に、本願発明者が独自に開発した指動脈弾力性指数ＦＥＩ（特許第５０３９１２３号）を計測することで、スティフネスによる影響をＦＥＩにより補正することができる。よって、ＦＣＲ法は、影響因子である動脈スティフネスに対しても独立性を持つことができ、Ｅｎｄｏ−ＰＡＴ法よりも優れているといえる。
【００５８】
なお、動脈の容積とコンプライアンスは、理論上、同時に上昇するものと予測される。この点、ＦＣＲ法では、動脈の容積とコンプライアンスを両方測定でき、両者に相関があることも示している。以上に述べた本発明に係るＦＣＲ法と、従来のＥｎｄｏ−ＰＡＴ法との比較結果を図３に示す。なお、影響因子からの独立性については、後述する実施例５において関連する実験を行っており、一致度については後述する実施例６において検証を行っている。
【００５９】
次に、指圧迫試行において複数拍の脈波からＳＢＰの平均値を推定する方法は、以下のとおりである。図２に示すように、カフ２１による増圧過程でＮＰＶｍａｘが検出された時点からＮＰＶは減少していくが、ＮＰＶｔ／ＮＰＶｍａｘ＜０．１になるまでの区間について、数拍分の脈動から得られたＮＰＶｔ／ＮＰＶｍａｘを上記式（２）に代入し、当該拍のＳＢＰｔ／ＦＣｔから数拍分についてＳＢＰｔを算出する。それらのＳＢＰｔの平均値を求めて当該測定試行におけるＳＢＰの推定値とする。
【００６０】
上述したとおり、上記式（３）によってＳＢＰの推定値とＭＢＰの推定値とからＰＰの推定値を算出できるため、１シーケンスにつき１つのＰＰ推定値が得られる。そして、そのＰＰ推定値を１シーケンス中一定と仮定し、上記式（５）に代入することで、指圧迫試行中の全ての脈動について、一拍毎のＮＰＶ値とＰＰ推定値とから、最終的に一心拍毎のＦＣＲ比が得られることとなる。
【００６１】
なお、上述した記憶手段４および演算処理手段５は、パーソナルコンピュータ等のコンピュータで構成されている。そして、指細小動脈拡張能検査プログラム１ａが、当該コンピュータを上述した各構成部として機能させるようになっている。
【００６２】
つぎに、本実施形態の指細小動脈拡張能検査プログラム１ａによって実行される指細小動脈拡張能検査装置１の作用および指細小動脈拡張能検査方法について図４を参照しつつ説明する。
【００６３】
本実施形態の指細小動脈拡張能検査装置１を用いて、ＦＣＲ比を測定する場合、予め被験者の両手の人差し指に光電式センサ３１およびカフ２１を装着する。本実施形態では、カフ２１が受光部３１ｂと一体化されており、指に巻き付けるタイプのため、径の異なる複数サイズのカフ２１を用意する必要がなく、一種類のカフ２１で複数の被験者の指径に最適な装着が可能となる。また、発光部３１ａと受光部３１とが指に密着し、指圧迫の経過に伴う光路のずれが最小限に抑えられる。
【００６４】
つぎに、図５に示すように、安静時において、指圧迫手段２により両手の指動脈を上述したシーケンスで圧迫試行しながら、脈波検出手段３により脈波データを測定する（ステップＳ１）。そして、一方の前腕を収縮期血圧＋５０ｍｍＨｇの圧力で５分間駆血した後（ステップＳ２）、再灌流時において、再び、指圧迫手段２により両手の指動脈を上述したシーケンスで圧迫試行しながら、脈波検出手段３により脈波データを測定する（ステップＳ３）。これにより、安静時および再灌流時における両手の脈波データが脈波データ記憶部４２に記憶される。また、安静時および再灌流時における両手のカフ圧データがカフ圧データ記憶部４３に記憶される。
【００６５】
なお、指圧迫手段２により指が圧迫されている間、光電式センサ３１の発光部３１ａが光を発する一方、受光部３１ｂが指の組織や血管を透過した光量を検出する。ここで、血液中のヘモグロビンは、ある波長帯の光に強い吸収スペクトルを持っている。このため、当該波長帯の光を照射した時の生体の透過光が、血管の容量変動に伴い変化するヘモグロビン量に応じて変化する。したがって、受光部３１ｂが検出した透過光量を脈波アンプ３２で増幅することにより脈波が検出されることとなる。
【００６６】
つぎに、ＮＰＶ算出部５２が、脈波データ記憶部４２から脈波データを取得し、その交流成分の振幅を直流成分の平均値で除算することにより、ＮＰＶを算出する（ステップＳ４）。これにより、安静時および再灌流時における両手のＮＰＶが一心拍ごとに算出される。
【００６７】
つづいて、原法により本ＦＣＲ法を実行する場合（ステップＳ５：原法）、被験者の両手それぞれに１台ずつ連続血圧計をセットし、両手の指動脈の脈圧を実測する（ステップＳ６）。これにより、極めて正確な両手の脈圧が取得されるため、誤差の少ないＦＣＲ比が算出される。
【００６８】
一方、簡易法により本ＦＣＲ法を実行する場合（ステップＳ５：簡易法）、まず、ＳＢＰ推定部５４が、ＮＰＶが最大となった時刻以降の時刻ｔにおけるカフ圧（ＦＣｔ）をカフ圧データ記憶部４３から取得する。そして、ＮＰＶが最大となった後の時刻ｔにおける最高血圧（ＳＢＰｔ）を上記式（２）により算出し、それらの平均値を最高血圧（ＳＢＰ）として推定する（ステップＳ７）。
【００６９】
これにより、左右の最高血圧が同時に推定されるため、当該推定に係る過剰評価や過小評価等の誤差バイアスが、両手の比をとることにより消える可能性が高い。また、従来のオシロメトリック法と比較して、ＮＰＶが最大となった時刻（平均血圧の決定時刻）により接近した時刻の平均化されたＳＢＰが算出されるため、血圧変動による影響が低減し、推定精度が向上する。
【００７０】
つづいて、脈圧推定値算出部５５が、ＮＰＶが最大となった時刻におけるカフ圧を平均血圧（ＭＢＰ）としてカフ圧データ記憶部４３から取得するとともに、ＳＢＰ推定部５４が推定した最高血圧（ＳＢＰ）を取得し、上記式（３）により脈圧推定値を算出する（ステップＳ８）。これにより、大型で高価な連続血圧計を用いて脈圧を実測することなく、脈波およびカフ圧のみから脈圧が推定される。また、上述したとおり、血圧変動による影響が少ないＳＢＰを用いるため、脈圧の推定精度が向上する。
【００７１】
つぎに、脈圧データ取得部５３が、ＦＣＲ比の算出に必要な脈圧を取得する（ステップＳ９）。本実施形態において、原法の場合、脈圧データ取得部５３は、連続血圧計から脈圧の実測値を脈圧として取得する。一方、簡易法の場合、脈圧データ取得部５３は、脈圧推定値算出部５５が算出した脈圧推定値を脈圧として取得する。
【００７２】
最後に、ＦＣＲ比算出部５６が、ＮＰＶ算出部５２が算出した規準化脈波容積（ＮＰＶ）と、脈圧データ取得部５３が取得した脈圧（ＰＰ）とに基づいて、上記式（１）により指動脈の血管拡張反応を示す指標（ＦＣＲ比）を算出する（ステップＳ１０）。これにより、原法の場合、指動脈の血管拡張反応を示すＦＣＲ比が一心拍ごとに正確に算出される。一方、簡易法の場合、脈圧を実測することなく、脈波およびカフ圧のみに基づいてＦＣＲ比が一心拍ごとに算出される。
【００７３】
以上のような本発明によれば、以下のような効果を奏する。
１．指動脈の細小血管における早期の動脈硬化の徴候を検査することができる。
２．血管内皮機能、細小動脈の器質的スティフネス、および血圧に影響される機能的スティフネスという、３つの異なる器質的・機能的な要因を総合的に評価することができる。
３．従来のＦＭＤ法は、再灌流後の初期反応のみを評価し、従来のＥｎｄｏ−ＰＡＴ法は、再灌流後の遅延反応のみを評価するものであるが、本発明によれば、初期反応および遅延反応の両方を単一の検査で査定することができる。
４．ＦＭＤ法では高価な超音波診断装置が必要で、画像の解析には熟練を要し、検査者の主観性を排除できないが、本発明によれば、測定する生体反応は脈波だけであり、客観性に優れ、小型・軽量かつ安全・安価であり、操作法も容易である。
５．Ｅｎｄｏ−ＰＡＴ法に必要なカフ部は、１回の検査にしか使えないものであるのに対し、本発明によれば、カフ２１を繰り返し使用できるばかりでなく、複数の被験者に対しても同一のカフ２１で最適な装着を実現でき、ランニングコストを低減することができる。
６．簡易法によるＦＣＲ比は、反応性充血状態の細小動脈拡張機能を指動脈のコンプライアンスによって評価するため、反応性充血時の脈圧の影響を除いた脈動振幅の増加を査定することができる。
７．指動脈における反応性充血時の動的コンプライアンスは、血管にかかる実効圧（経壁圧）に依存するが、指をカフ２１で圧迫する指圧迫法を併用してコンプライアンス測定時の経壁圧を規定できるため、経壁圧を考慮したコンプライアンスを評価することができる。
８．細動脈と小動脈とは内皮機能が異なる可能性があるところ、両者の寄与率が異なる高経壁圧領域および低経壁圧領域のそれぞれにつきＦＣＲ比を算出でき、それらが表す指の小動脈成分対細動脈成分として分離評価することができる。血管の病理的変化は細小動脈から先に始まり、後に大きな動脈へと進行するという医学的学説によれば、血管径の異なる小動脈と細動脈の内皮機能を別々に査定できる点は、病態生理学的、臨床医学的に有用である。
【００７４】
つぎに、本発明に係る指細小動脈拡張能検査プログラム１ａ、指細小動脈拡張能検査装置１および指動脈弾力性測定方法の具体的な実施例について説明する。
【実施例１】
【００７５】
本実施例１では、上記式（２）の妥当性、すなわち最大の脈波振幅に対する当該拍の脈波振幅の比（ＮＰＶｔ／ＮＰＶｍａｘ）から、ＳＢＰとカフ圧の比（ＳＢＰｔ／ＦＣｔ）を決定できるかを確認するための実験を行った。【００７６】
具体的には、健常青年１２名の被験者に対し、両手の第２指においてＦＣＲ法を実施するのと同時に、容積補償法による連続血圧計（株式会社メディセンス製ＭＵＢ）を２台用いて、一心拍毎の血圧を両手の第３指で測定した。【００７７】
カフ圧の範囲がＭＢＰ以上でＮＰＶｔ／ＮＰＶｍａｘ＞０．１を満たす範囲の心拍について、ＮＰＶｔ／ＮＰＶｍａｘとＳＢＰｔ／ＦＣｔとの相関を調べた。得られた全区間について被験者毎に両手別に算出した結果、相関係数の平均と１標準偏差区間（いずれもFisher変換後に算出しFisher逆変換）は、左手−０．９３７（−０．９０４から−０．９５９）、右手−０．９３９（−０．９０３から−０．９６１）であった。【００７８】
ＳＢＰｔ＝ＦＣｔとなるＮＰＶｔ／ＮＰＶｍａｘの値は、０．３７２±０．２２９（平均±ＳＤ）であり、個人差があることが判明した。それにもかかわらず、同一人では左右手間での回帰勾配および切片の個人内の一致度が高いと予想されたが、それらを相関係数（ｒ）でそれぞれ示すと、ｒ＝０．５３０およびｒ＝０．７１０であった。また、ＳＢＰｔ＝ＦＣｔとなるＮＰＶｔ／ＮＰＶｍａｘの値については、同一個人内の左右手間に高い相関が認められた（ｒ＝０．８１９）。【００７９】
以上の本実施例１によれば、ＳＢＰｔ＝ＦＣｔとなるＮＰＶｔ／ＮＰＶｍａｘの値、換言すればＳＢＰｔをＦＣｔから推定できるＮＰＶｔ／ＮＰＶｍａｘの値は、個人差はあるものの、各個人については左右手間に一致が認められるため、上記式（２）の妥当性が確認された。
【実施例２】
【００８０】
上述した脈波からＳＢＰとＰＰを推定する方法は、測定試行中の血圧が変化しないとの仮定に基づいている。このため、当該仮定が実際にはどの程度適合するかにより、最終的に算出されるＦＣＲ比の誤差が左右される。そこで本実施例２では、簡易法によって得られたＦＣＲ比を原法によって得られたＦＣＲ比と比較し、その誤差を評価する実験を行った。【００８１】
具体的には、健常青年１２名の被験者に対し、容積補償法による連続血圧計（株式会社メディセンス製ＭＵＢ）を用いて両手の第３指から一心拍毎の血圧を同時に測定し、一心拍ごとの脈圧の実測値からＦＣＲ比（ＦＣＲｏ）を算出した（ＦＣＲ原法）。そして、当該ＦＣＲｏに対して、両手第２指で実施した簡易法により得られたＦＣＲ比(ＦＣＲｓ)の一致度を評価した。【００８２】
（１）指尖脈波（ＦＰＧ）測定法
指尖脈波（ＦＰＧ）はＮＰＶの測定用装置（株式会社メディセンス製ＭＰＮ１００１）で測定した。本装置は近赤外発光ダイオード（波長８１０ｎｍ）とフォトダイオードを採用し、それらを左右上肢における第２指基節部の背側と腹側に指を挟んで装着した。フォトダイオードの出力は一般的なａｃ（時定数０．３ｓ）およびｄｃ増幅器で増幅し、ＡＤ変換後、パーソナルコンピュータに入力し分析した。なお、上記のとおり、ａｃ成分上の脈動振幅と当該心周期のｄｃ成分平均値の比がＮＰＶである。【００８３】
（２）指圧迫法
指圧迫用のカフ２１は静脈を圧閉し、経壁圧を広範囲に制御するために用いられた。幅４ｃｍのカフ２１はＦＰＧ光源とセンサーを上から覆うように巻かれた。毎回の測定では、カフ圧を約６ｍｍＨｇ／ｓの等速で２５秒間増加させた。その間、脈波の脈動振幅は徐々に増加していくが、カフ圧が平均血圧と一致する時、動脈は無負荷状態となり血管のコンプライアンスが最大化するためＮＰＶも最大値を示す。換言すれば、指平均血圧（ＭＢＰｓ）はＮＰＶの最大時におけるカフ圧と等しい。【００８４】
カフ圧が平均血圧と一致した後、さらにカフ圧を増加させ続けると脈波振幅は減少に転じるため、脈波振幅の最大値の１０％程度に減少した時点で指圧迫が解除されるように、カフ２１に流入する空気の流量を調整した。この間の圧迫相２５秒間を測定試行と呼び、毎回５秒の非圧迫相を挟んで繰り返した。【００８５】
ここで、各測定試行においてＭＢＰｓおよび一定の基準で算出する収縮期血圧推定値（ＳＢＰｓ）は、それぞれＮＰＶ最大時の１回、およびＮＰＶが減少に転じた数拍の脈動についてだけ測定した。ＳＢＰｓと概算式で求めた拡張期血圧（最低血圧）との差を脈圧推定値（ＰＰｓ）と定義した。【００８６】
（３）安静時における測定
上記の指圧迫試行を繰り返しつつ、ＭＢＰｓおよびＰＰｓと共に、測定試行毎のコンプライアンス指数（ＣＩｓ=ＮＰＶ／ＰＰｓ）を求めた。以上の測定は両手の脈波についてそれぞれ行った。【００８７】
（４）５分間駆血後の再灌流時（反応性充血）における測定
駆血を解除した時点から３分後まで３０秒毎に、上記の指圧迫試行を繰り返しつつ、ＭＢＰｓおよびＰＰｓと共に、測定試行毎のコンプライアンス指数（ＣＩｓ=ＮＰＶ／ＰＰｓ）を求めた。以上の測定は両手の脈波についてそれぞれ行った。【００８８】
（５）簡易法によるＦＣＲ比の算出
簡易法によるＦＣＲ比（ＦＣＲｓ）は、再灌流後の３０秒毎に上記式（５）によって算出された。【００８９】
（６）原法によるＦＣＲ比の算出
以上の簡易法の比較基準として、一心拍毎の脈圧を実測する原法を実施した。すなわち、簡易法では一測定試行中、同一のＰＰｓを用いたのに対して、原法では連続血圧波形から実測した一心拍毎の実測値（ＰＰｏ）を用い、同一心拍のＣＩｏを算出した（ＣＩｏ＝ＮＰＶ／ＰＰｏ）。簡易法と同様に、原法によるＦＣＲ比（ＦＣＲｏ）は、再灌流後の３０秒毎に上記式（１）によって算出した。【００９０】
（７）動脈系では中枢側大動脈から末梢細小動脈への圧勾配により血管径の小さい動脈ほど内圧は降下する。そして、最も大幅で急峻な圧降下は細動脈の部分で生じる。ここで、指圧迫に着目すれば、カフ圧が漸増する過程で小さな血管から大きな血管へと順次圧閉されていく。また、動脈壁にかかる経壁圧（Ｐｔ）は、実効圧＝ＭＢＰｓ−カフ圧（ＦＣ）で算出される。【００９１】
そして、ＦＣがまだ低い領域、すなわち、「Ｐｔ＞ＭＢＰｓ／２」（換言すれば、「ＦＣ＜ＭＢＰｓ／２」）と定義される高経壁圧領域に限定してＣＩを算出すれば、細動脈の寄与がより大きい成分についてのコンプライアンスを評価できる。また、ＦＣが高い領域、すなわち、「Ｐｔ＜ＭＢＰｓ／２」（換言すれば、「ＦＣ＞ＭＢＰｓ／２」）と定義される低経壁圧領域に限定してＣＩを算出すれば、指動脈の中では太い小動脈の成分を評価できる（図２における低経壁圧成分と高経壁圧成分の分離法）。【００９２】
そこで、本実施例２では、高経壁圧成分および低経壁圧成分に分離して評価するため、上記のＦＣＲｓおよびＦＣＲｏは、上記２つの経壁圧領域別の平均値としてまとめた。具体的には、被験者１２名の再灌流後５分間について、３０秒毎の測定１０試行について、ＦＣＲｓとＦＣＲｏの一致度を散布図として示した。図６に示すように、高経壁圧成分にについては、ｒ＝０．８２３であり、図７に示すように、低経壁圧成分については、ｒ＝０．７７２であった。【００９３】
以上の本実施例２によれば、種々の誤差要因にもかかわらず、原法によるＦＣＲ比と、簡易法によるＦＣＲ比との間には、高い一致が認められることが明らかとなった。
【実施例３】
【００９４】
本実施例３では、簡易法を実施するのと同時に、内皮機能検査の医学的標準法であるＦＭＤ法を実施し、その一致度を評価する実験を行った。【００９５】
具体的には、健常者青年４５名を被験者とし、ＦＭＤ法による％ＦＭＤと、簡易法によるＦＣＲ比とを比較した。測定法は上述した実施例２と同一とし、それ以外には、ＦＭＤ法による％ＦＭＤの測定を専用の測定装置（株式会社ユネクス製ユネクスイーエフ）を用いて、簡易法と同時に行った。％ＦＭＤの測定は標準的な手順に従い、熟練した臨床検査技師が担当した。【００９６】
簡易法によるＦＣＲ比は、左右のコンプライアンスの比（駆血側／対照側）だが、安静時の比で規準化してある。指カフ圧が平均血圧の５０％以上で平均血圧までの分析区間（細動脈は閉塞され指の太い血管だけが関与する成分をとりだしている）について、駆血を解除した直後から２５秒までの期間と、３０秒から５５秒目まで期間との２回の指圧迫試行の平均値と定義した（図５における初期反応）。【００９７】
実験の結果、ＦＭＤ法による％ＦＭＤと簡易法によるＦＣＲ比との単相関は有意であり (ｒ＝０．４７４，ｐ＜０．０１)、事前に調査した、性、年齢、上腕動脈の直径、充血側である右側の心臓足首血管指数（ＣＡＶＩ）、駆血前の安静時における右手指の平均血圧、駆血前の安静時における右手指のコンプライアンス初期値、これらすべてを共変量とした偏相関(ｒ＝０．４５４，ｐ＜０．０１)も有意のままであった。【００９８】
次に、簡易法によるＦＣＲ比を目的変数とするステップワイズ重回帰分析を行った結果、図８に示すように、ＦＭＤ法による％ＦＭＤ（標準偏回帰係数β＝０．４４６，ｐ＜０．０１）と、本願発明者が独自に開発した指動脈弾力性指数ＦＥＩ（標準偏回帰係数β＝０．２９２，ｐ＜０．０５）との２変数から簡易法によるＦＣＲ比を説明するモデルが有意であり、その重相関係数はＲ＝０．５６７（ｐ＜０．００１）であった。【００９９】
これらの結果は、当初の予想である「ＦＣＲ比は血管内皮機能を反映すると共に指動脈のスティフネスにも影響され、指血管がやわらかいほどＦＣＲ比は大きい」と一致するものである。しかし、ＦＭＤ法による％ＦＭＤと簡易法によるＦＣＲ比との一致度は弱い関係であることが判明した。その主因としては、内皮機能は大血管の上腕動脈と細小血管の部位差があることによるもので、簡易法の妥当性を否定する結果ではないと思われる。【０１００】
一方、上述したとおり、指尖脈波を利用して反応性充血時の脈動振幅の増加を評価するＥｎｄｏ−ＰＡＴ法も臨床応用が広まりつつある。しかしながら、血管内皮機能検査に関連する世界の研究動向によれば、上腕動脈におけるＦＭＤ法との大規模な比較研究が行われており、両者の相関性は低く、両者は異なる生理機能を反映し、それぞれ独自の病態生理学的意義を有することが定説となっている。【０１０１】
したがって、本実施例３によれば、ＦＭＤ法による％ＦＭＤとの一致度に関し、簡易法によるＦＣＲ比は、Ｅｎｄｏ−ＰＡＴ法によるＰＡＴ比よりも一致度が高いことが示唆された。また、簡易法における初期反応を従属変数、％ＦＭＤと指動脈弾力指数（ＦＥＩ）を説明変数とする重回帰予測に有意な重相関が実証された。すなわち、ＦＥＩは血圧に依存する機能的スティフネスと指細小動脈の器質的スティフネス（ＦＳＩ）の両者が寄与し、血管内皮機能、血圧、および、血管の器質的スティフネスはいずれも血管健康の独立したマーカーとして認められている。よって、簡易法におけるＦＣＲ比の初期反応は、血管内皮機能と細小動脈の機能的・器質的スティフネスの両者を総合的に反映する意味で、従来法とは全く新しい血管健康マーカーを提供するものといえる。
【実施例４】
【０１０２】
本実施例４では、ＦＣＲ比に加えて、指動脈弾力指数（ＦＥＩ）およびＦＥＩから導出される指動脈スティフネス指数（ＦＳＩ）の検査も行える兼用の検査装置を試作した。当該兼用検査装置の外観を図９に示し、指細小動脈拡張能検査プログラム１ａを含む付属のソフトウエアによる測定中の波形モニター画面を図１０に示す。【０１０３】
兼用検査装置の本体は、新書を３冊重ねた程度の大きさで小型・軽量である。また、電源はＵＳＢを介してＰＣから供給され、信号はＵＳＢを介してＰＣへ出力される。ＬＥＤはそのマウント部を指背側の爪にテープで固定し、光センサーは指腹側に密着して装着し、センサーと一体化したカフ２１を巻きつけ、面ファスナーで固定する。この装着法を採用することで、径の異なる複数サイズのカフ２１を用意することなく、一種類のカフ２１で被検者の指径に最適な装着が可能となった。また、 ＬＥＤと光センサーは指に密着し、指圧迫の経過に伴う光路のずれは最小限に抑えられる。【０１０４】
付属のソフトウエアは、指圧迫のシーケンスを自動制御し、パーソナルコンピュータに入力された脈波を表示するとともに、一心拍毎にＮＰＶとカフ圧とを求め、波形と共にｃｓｖファイルに一拍毎の結果を保存できるようになっている。また、オフラインでの視察によりアーチファクトを除去した後、再計算することもできる。【０１０５】
なお、図１０は、安静時の左右指を同時に測定した場合の波形であり、時間経過とともに漸増する線がカフ圧、振幅の大きい波形が脈波のａｃ成分、振幅の小さい波形が脈波のｄｃ成分を示している。また、縦線は一拍ごとの同定（拡張期と収縮期）を示すものである。本実施例４では、心臓位置に対するＡ側の手の位置がＢ側よりも高いため、Ａ側の血圧は逆に低くなっている。【０１０６】
以上の本実施例４によれば、試作した兼用検査装置は、小型・軽量・簡便・安全・安価であり、臨床検査技師や医師が容易に操作できるため、医療施設を含む国内外の共同研究施設にこれらを提供し、臨床データの大規模な蓄積を行うことができる可能性が示された。また、平均血圧とスティフネスを同時測定するので、それらのＦＣＲ比への相対的寄与割合を評価できる。
【実施例５】
【０１０７】
本実施例５では、健常者か糖尿病患者かを判別する手法として、ＦＣＲ法とＥｎｄｏ−ＰＡＴ法とのいずれが優れているのかを検証する実験を行った。【０１０８】
具体的には、健常青年女子２４名および糖尿病患者３７名の各被験者について、本発明に係るＦＣＲ比と、Ｅｎｄｏ−ＰＡＴ法に係るＰＡＴ比とをそれぞれ測定した。その結果を図１１（ａ）に示す。また同時に、各被験者の脈圧および平均血圧における血圧変化量を測定した。その結果を図１１（ｂ）に示す。なお、ＦＣＲ比としては、再灌流時のコンプライアンス／駆血前のコンプライアンスの平均値を用いており、ＰＡＴ比としては、再灌流時のＮＰＶ／駆血前のＮＰＶの平均値を用いている。【０１０９】
図１１（ａ）に示すように、ＰＡＴ比よりもＦＣＲ比の方が、健常成年女子と糖尿病患者との差異が大きいことがわかる。これは、図１１（ｂ）に示すように、脈圧および平均血圧の変化幅が、糖尿病患者よりも健常成年女子の方が大きいためである。すなわち、再灌流時には、血管の内皮機能が働いてＦＣＲ比が増加する一方、ＰＡＴ比は脈圧の減少によって、ＦＣＲ比ほどには大きくならない。このため、Ｅｎｄｏ−ＰＡＴ法のように、脈動容積を用いた場合、内皮機能の影響を過小評価してしまう。図１１（ｂ）に示すように、脈圧の減少量は、糖尿病患者よりも健常成年女子の方が大きいため、上述した過小評価も影響も、糖尿病患者よりも健常成年女子の方が大きい。【０１１０】
以上の本実施例５によれば、健常者か糖尿病患者かを明確に判別する手法として、Ｅｎｄｏ−ＰＡＴ法よりもＦＣＲ法の方が優れていることが示された。
【実施例６】
【０１１１】
本実施例６では、本発明に係るＦＣＲ比と、Ｅｎｄｏ−ＰＡＴ法に係るＰＡＴ比との一致度を検証することで、Ｅｎｄｏ−ＰＡＴ法に対するＦＣＲ法の優位性を確認する実験を行った。【０１１２】
具体的には、糖尿病患者３５名について、ＦＣＲ比とＰＡＴ比とをそれぞれ測定し、両者の偏相関係数を算出した。また、それとは別に、ＰＡＴ比に対する影響要因である、脈圧、平均血圧およびスティフネスの全要素を統計的に除去したＰＡＴ比を用いて同様の偏相関係数を算出した。その結果を図１２に示す。なお、本実施例６において、ＦＣＲ比は、駆血前安静時のコンプライアンスの大きさ（前値）に依存するため、当該前値を制御した偏相関を示している。また、ＰＡＴ比は、安静時における脈動容積の影響を補正した値である。【０１１３】
図１２に示すとおり、ＰＡＴ比に対する影響因子の影響を除去していない場合、ＦＣＲ比とＰＡＴ比との偏相関係数は約０．５であり、両者の相関は低い。これは、Ｅｎｄｏ−ＰＡＴ法が、脈圧や平均血圧の影響を受けるものであり、理論的に正しくない面を有するからである。一方、ＰＡＴ比に対する影響因子の影響を除去した場合、ＦＣＲ比とＰＡＴ比との偏相関係数は約０．７となり、両者の一致度は向上した。【０１１４】
以上の本実施例６によれば、Ｅｎｄｏ−ＰＡＴ法における理論上の欠点を補正することにより、本発明に係るＦＣＲ法に近づくことが示された。
【実施例７】
【０１１５】
本実施例７では、上述した特許第５０３９１２３号に係る指動脈弾力性指標（ＦＥＩ）と本発明に係るＦＣＲ比とを併用することにより、健常群か糖尿病群かを判別する実験を行った。なお、指動脈弾力性指標（ＦＥＩ）とは、下記式（４）の直線回帰勾配（ｎ）として表されるものである。
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）【０１１６】
具体的には、健常青年女子３１名および糖尿病患者（男女）３７名を被験者とし、各被験者について、本発明に係るＦＣＲ比と、指動脈弾力性指標（ＦＥＩ）とをそれぞれ測定した。その結果を図１３（ａ）に示す。【０１１７】
つぎに、ＦＥＩとＦＣＲ比とを二変数とするデータ群に基づいて、健常群か糖尿病群かの目的変数を数値にした重回帰式を判別関数として算出した（判別関数算出ステップ）。当該判別関数を図１３（ａ）に示す。つづいて、当該判別関数に判別対象者のＦＥＩおよびＦＣＲ比を代入して判別得点を算出した（判別得点算出ステップ）。その結果を図１３（ｂ）に示す。さらに、当該判別得点に基づいて、判別対象者が健常群か糖尿病群かを判別した（糖尿病判別ステップ）。【０１１８】
図１３（ｂ）に示すように、健常群と糖尿病群とを比較すると、判別得点が明確に正負に分かれており、両群の重なりが極めて小さい。よって、算出された判別関数は、健常群か糖尿病群かを高精度に判別するものといえる。また、図１３（ｃ）に示すように、ＦＥＩとＦＣＲ比とを併用した判別得点は、指の平均血圧とは無相関であるため、血圧に依存しないという点で臨床診断上も有用である。【０１１９】
以上の本実施例７によれば、特許第５０３９１２３号に係る指動脈弾力性指標（ＦＥＩ）と本発明に係るＦＣＲ比とを併用することにより、健常群か糖尿病群かを高精度に判別でき、臨床診断上の有用性が向上することが示された。
【実施例８】
【０１２０】
本実施例８では、本発明に係る指細小動脈拡張能検査装置１および指細小動脈拡張能検査プログラム１ａにおいて、上述した実施例７に係る糖尿病判別機能を実装した。【０１２１】
具体的には、コンピュータとしての指細小動脈拡張能検査装置１において、記憶手段４が各被験者のＦＥＩを記憶するＦＥＩ記憶部として機能するとともに、演算処理手段５が、実施例７で上述した判別関数算出ステップを実行する判別関数算出部と、判別得点算出ステップを実行する判別得点算出部と、糖尿病判別ステップを実行する糖尿病判別部として機能するように指細小動脈拡張能検査プログラム１ａを実装した。【０１２２】
上記において、判別関数算出部は、ＦＥＩ記憶部に記憶されているＦＥＩと、ＦＣＲ比算出部５６により算出されたＦＣＲ比とを二変数とするデータ群に基づいて、健常群か糖尿病群かの目的変数を数値にした重回帰式を判別関数として算出する。また、判別得点算出部は、判別関数算出部により算出された判別関数に、判別対象者のＦＥＩおよびＦＣＲ比を代入して判別得点を算出する。糖尿病判別部は、判別得点算出部により算出された判別得点に基づいて、判別対象者が健常群か糖尿病群かを判別するものである。【０１２３】
上記構成により、所定数の被験者に関するＦＥＩとＦＣＲ比とを二変数とするデータ群を与えると、判別関数算出部が判別関数を算出した。つづいて、判別しようとする対象者のＦＥＩおよびＦＣＲ比を与えると、判別得点算出部が各値を判別関数に代入して判別得点を算出した。そして、判別糖尿病判別部が、当該判別得点に基づいて、判別対象者が健常群か糖尿病群かを判別した。【０１２４】
以上の本実施例８によれば、本発明に係る指細小動脈拡張能検査装置１および指細小動脈拡張能検査プログラム１ａに糖尿病判別機能を合わせて実装できることが示された。【０１２５】
なお、本実施例８では、特許第５０３９１２３号に係る指動脈弾力性測定装置によって測定されたＦＥＩを記憶するＦＥＩ記憶部を設けていたが、この構成に限定されるものではない。すなわち、本発明に係る指細小動脈拡張能検査装置１および指細小動脈拡張能検査プログラム１ａに、別途、ＦＥＩを算出する機能を実装してもよい。
【実施例９】
【０１２６】
本実施例９では、本発明に係るＦＣＲ比のみを用いた場合、ＦＣＲ比にＦＥＩを併用した場合、およびＦＣＲ比とＦＥＩに加えて指平均血圧を併用した場合のそれぞれついて、糖尿病患者か否かを判別する実験を行った。【０１２７】
具体的には、健常成年女子３９名および糖尿病患者４９名の被験者について、ＦＣＲ比、ＦＥＩおよび指平均血圧を測定した。そして、ＦＣＲ比のみについての判別関数、ＦＣＲ比とＦＥＩを併用した場合の判別関数、およびＦＣＲ比とＦＥＩと指平均血圧とを併用した場合の判別関数を算出した。そして、算出した各判別関数に各被験者のＦＣＲ比、ＦＥＩおよび指平均血圧を代入して判別得点を求め、糖尿病患者か否かを判別した。その結果を図１４に示す。【０１２８】
図１４（ａ）に示すように、ＦＣＲ比のみを用いた場合、健常成年女子を健常成年女子であると予測し、糖尿病患者を糖尿病患者であると予測した割合を示す的中率は７６．１％であった。これに対し、図１４（ｂ）に示すように、ＦＣＲ比にＦＥＩを併用した場合、的中率は８６．４％に向上した。さらに、図１４（ｃ）に示すように、ＦＣＲ比とＦＥＩに加えて指平均血圧を併用した場合、的中率は９５．５％にまで向上した。【０１２９】
以上の本実施例９によれば、健常成年女子と糖尿病患者とを判別する的中率は、ＦＣＲ比のみを用いた場合よりも、ＦＣＲ比にＦＥＩを併用した場合の方が高く、さらに、ＦＣＲ比とＦＥＩに加えて指平均血圧を併用した場合の方が最も的中率が高くなることが示された。【０１３０】
なお、本発明に係る指細小動脈拡張能検査方法、指細小動脈拡張能検査装置１および指細小動脈拡張能検査プログラム１ａは、前述した実施形態および実施例に限定されるものではなく、適宜変更することができる。【０１３１】
例えば、ＦＣＲ比の数値範囲に対応させて、指動脈の血管拡張反応を示す表示テーブル（例：柔らかい，普通，硬い）を記憶手段４に格納しておき、ＦＣＲ比算出部５６によって算出されたＦＣＲ比の値に基づき、図示しない表示手段や印刷手段から指動脈の血管拡張反応を示すデータを出力するようにしてもよい。【０１３２】
また、上述した本実施形態では、コンプライアンス指数の再灌流時における両手の比を、安静時における両手の比で規準化することでＦＣＲ比を算出している。しかしながら、両手の比ではなく、いずれか一方の手における異なる指の比を用いてもよいと考えられる。すなわち、上記式（１）におけるＣＩｒおよびＣＩｃとして、駆血を行った指のコンプライアンス指数、および駆血を行わない指のコンプライアンス指数をそれぞれ用いればよい。
【産業上の利用可能性】
【０１３３】
近年、生活習慣病の予防は国の健康医療政策の最重要課題となっており、生活習慣病の急増を受けて、メタボリックシンドロームを対象にした特定健康診査・保健指導が平成２０年度から開始された。中でも動脈硬化を含む血管内皮機能障害に関する診断と介入は、心血管疾患と脳血管障害を予防するのに特に重要である。例えば、生活習慣病の一つである糖尿病は、様々な合併症を引き起こす。糖尿病網膜症による失明者は年間約３０００人に昇る。その波及効果は以下の如くである。【０１３４】
第一に、ＦＣＲ法による細小動脈内皮機能検査が直接役立つ臨床ケースには、微小循環障害を伴い失明の主要原因ともなる糖尿病網膜症、網膜静脈閉塞症、加齢黄斑変性症、循環器領域の心不全、腎臓透析適用へと進展する糖尿病腎症、細動脈硬化を加速させる高血圧症、動脈硬化が背景にある勃起障害などがある。【０１３５】
第二に、細小動脈の病理は動脈硬化の自然史の中で最も初期に、大血管の動脈硬化と肥厚に先行して現れることから、予防医学の重要な指標になると思われる。すなわち、本願発明者を含む研究グループで開発を先行している細小動脈弾力性とスティフネス検査（ＦＥＩ・ＦＳＩ法）、ならびに、今回の細小動脈内皮機能検査（ＦＣＲ法）は、虚血性心疾患（狭心症・心筋梗塞）や脳梗塞といった重要な疾患を含む生活習慣病全体のプレクリニカルな段階での疾病予測、スクリーニング、診断、および長期の経過観察に役立ち、医療現場への波及効果は一層広範である。【０１３６】
第三に、早期の血管の健康低下は可逆的であるから、一般健常人口の健康管理および慢性に蓄積する日常ストレスの評価、ならびに保健指導の介入効果の判定などの際に、バイオマーカーとして活用できると期待される。例えば、メタボリック症候群や糖尿病などの介入型特定保健指導では介入評価指標として有用なバイオマーカーが要請されている。【０１３７】
したがって将来的なＦＣＲ法の用途と利用分野としては、極めて広範なヘルスプロモーションと健康支援の現場、すなわち、児童生徒を預かる学校保健室、職業人の健康管理施設、商業スポーツ施設、高齢者の介護福祉施設等における健康教育と健康管理、また、健康食品や医薬の評価にも活用可能である。【０１３８】
装置の小型化や簡素化がより一層可能となれば、血圧計に組み込んだ安価な健康機器として家庭用に広く普及する可能性も考えられる。すなわち、ＦＭＤ法やＥｎｄｏ−ＰＡＴ法のように、医療保険制度の需要に応じる医療施設への供給はもとより、わが国における高齢化を背景にして、疾病予防と介護予防の潜在需要の増大に応じ、国民の「ＱＯＬ（Quality Of Life）を高める」医療・福祉・教育、ならびに食品健康関連など広範な医療生活産業に貢献できるものと考えられる。
【符号の説明】
【０１３９】
１  指細小動脈拡張能検査装置
１ａ  指細小動脈拡張能検査プログラム
２  指圧迫手段
３  脈波検出手段
４  記憶手段
５  演算処理手段
２１  カフ
２２  空気ポンプ
３１  光電式センサ
３１ａ  発光部
３１ｂ  受光部
３２  脈波アンプ
４１  プログラム記憶部
４２  脈波データ記憶部
４３  カフ圧データ記憶部
５１  カフ圧制御部
５２  ＮＰＶ算出部
５３  脈圧データ取得部
５４  ＳＢＰ推定部
５５  脈圧推定値算出部
５６  ＦＣＲ比算出部
【図１】
2014054788.tif 000003
【図２】
2014054788.tif 000004
【図３】
2014054788.tif 000005
【図４】
2014054788.tif 000006
【図５】
2014054788.tif 000007
【図６】
2014054788.tif 000008
【図７】
2014054788.tif 000009
【図８】
2014054788.tif 000010
【図９】
2014054788.tif 000011
【図１０】
2014054788.tif 000012
【図１１】
2014054788.tif 000013
【図１２】
2014054788.tif 000014
【図１３】
2014054788.tif 000015
【図１４】
2014054788.tif 000016
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
指動脈の血管拡張反応を検査する指細小動脈拡張能検査方法であって、
所定のシーケンスにより圧迫される両手の指の各指動脈について、安静時および一方の前腕を駆血した後の再灌流時における脈波データ、または、所定のシーケンスにより圧迫される片手の異なる指の各指動脈について、安静時および一方の指を駆血した後の再灌流時における脈波データを記憶する脈波データ記憶ステップと、
前記脈波データ記憶ステップにおいて記憶された前記脈波データに基づいて、脈波の交流成分の振幅を当該脈波の直流成分の平均値で除算してなる規準化脈波容積（ＮＰＶ）を一心拍ごとに算出するＮＰＶ算出ステップと、
最高血圧から最低血圧を減算してなる脈圧（ＰＰ）を取得する脈圧データ取得ステップと、
前記ＮＰＶ算出ステップにおいて算出された規準化脈波容積（ＮＰＶ）を前記脈圧データ取得ステップにおいて取得された脈圧（ＰＰ）で除算してなるコンプライアンス指数の再灌流時における両手の比を、安静時における両手の比で規準化してなる、指動脈の血管拡張反応を示す指標（ＦＣＲ比）、または、前記ＮＰＶ算出ステップにおいて算出された規準化脈波容積（ＮＰＶ）を前記脈圧データ取得ステップにおいて取得された脈圧（ＰＰ）で除算してなるコンプライアンス指数の再灌流時における片手の異なる指の比を、安静時における片手の異なる指の比で規準化してなる、指動脈の血管拡張反応を示す指標（ＦＣＲ比）を一心拍ごとに算出するＦＣＲ比算出ステップと
を有する指細小動脈拡張能検査方法。
【請求項２】
前記ＦＣＲ比算出ステップでは、再灌流時における両手のコンプライアンス指数の比を、安静時における両手のコンプライアンス指数の比で除算することで規準化する、または、再灌流時における片手の異なる指のコンプライアンス指数の比を、安静時における片手の異なる指のコンプライアンス指数の比で除算することで規準化する、請求項１に記載の指細小動脈拡張能検査方法。
【請求項３】
前記ＦＣＲ比は下記式（１）で示される、請求項１または請求項２に記載の指細小動脈拡張能検査方法。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手または指を示す添え字
ｃ：駆血を行わない側の手または指を示す添え字
ｘ：安静時を示す添え字
ｙ：再灌流時を示す添え字
【請求項４】
前記各指動脈を圧迫するカフのカフ圧を記憶するカフ圧データ記憶ステップと、
前記ＮＰＶが最大となった後の時刻ｔにおける最高血圧（ＳＢＰｔ）を下記式（２）により算出し、その平均値を最高血圧（ＳＢＰ）として推定するＳＢＰ推定ステップと、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定ステップにおいて推定された最高血圧（ＳＢＰ）に基づいて、下記式（３）により脈圧推定値（ＰＰｓ）を算出する脈圧推定値算出ステップとを有し、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得ステップでは、前記脈圧推定値算出ステップにおいて算出された前記脈圧推定値を脈圧として取得する、請求項１から請求項３のいずれかに記載の指細小動脈拡張能検査方法。
【請求項５】
下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出ステップと、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出ステップと、
前記判別得点に基づいて、前記判別対象者が健常群か糖尿病群かを判別する糖尿病判別ステップと
を有する、請求項１から請求項４のいずれかに記載の指細小動脈拡張能検査方法。
【請求項６】
指動脈の血管拡張反応を検査する指細小動脈拡張能検査装置であって、
所定のシーケンスにより圧迫される両手の指の各指動脈について、安静時および一方の前腕を駆血した後の再灌流時における脈波データ、または、所定のシーケンスにより圧迫される片手の異なる指の各指動脈について、安静時および一方の指を駆血した後の再灌流時における脈波データを記憶する脈波データ記憶部と、
前記脈波データ記憶部に記憶された前記脈波データに基づいて、脈波の交流成分の振幅を当該脈波の直流成分の平均値で除算してなる規準化脈波容積（ＮＰＶ）を一心拍ごとに算出するＮＰＶ算出部と、
最高血圧から最低血圧を減算してなる脈圧（ＰＰ）を取得する脈圧データ取得部と、
前記ＮＰＶ算出部が算出した規準化脈波容積（ＮＰＶ）を前記脈圧データ取得部が取得した脈圧（ＰＰ）で除算してなるコンプライアンス指数の再灌流時における両手の比を、安静時における両手の比で規準化してなる、指動脈の血管拡張反応を示す指標（ＦＣＲ比）、または、前記ＮＰＶ算出部が算出した規準化脈波容積（ＮＰＶ）を前記脈圧データ取得部が取得した脈圧（ＰＰ）で除算してなるコンプライアンス指数の再灌流時における片手の異なる指の比を、安静時における片手の異なる指の比で規準化してなる、指動脈の血管拡張反応を示す指標（ＦＣＲ比）を一心拍ごとに算出するＦＣＲ比算出部と
を有する指細小動脈拡張能検査装置。
【請求項７】
前記ＦＣＲ比算出部は、再灌流時における両手のコンプライアンス指数の比を、安静時における両手のコンプライアンス指数の比で除算することで規準化する、または、再灌流時における片手の異なる指のコンプライアンス指数の比を、安静時における片手の異なる指のコンプライアンス指数の比で除算することで規準化する、請求項６に記載の指細小動脈拡張能検査装置。
【請求項８】
前記ＦＣＲ比は下記式（１）で示される、請求項６または請求項７に記載の指細小動脈拡張能検査装置。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手または指を示す添え字
ｃ：駆血を行わない側の手または指を示す添え字
ｘ：安静時を示す添え字
ｙ：再灌流時を示す添え字
【請求項９】
前記各指動脈を圧迫するカフのカフ圧を記憶するカフ圧データ記憶部と、
前記ＮＰＶが最大となった後の時刻ｔにおける最高血圧（ＳＢＰｔ）を下記式（２）により算出し、それらの平均値を最高血圧（ＳＢＰ）として推定するＳＢＰ推定部と、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定部が推定した最高血圧（ＳＢＰ）に基づいて、下記式（３）により脈圧推定値（ＰＰｓ）を算出する脈圧推定値算出部とを有し、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得部は、前記脈圧推定値算出部が算出した前記脈圧推定値を脈圧として取得する、請求項６から請求項８のいずれかに記載の指細小動脈拡張能検査装置。
【請求項１０】
下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出部と、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出部と、
前記判別得点に基づいて、前記判別対象者が健常群か糖尿病群かを判別する糖尿病判別部と
を有する、請求項６から請求項９のいずれかに記載の指細小動脈拡張能検査装置。
【請求項１１】
指動脈の血管拡張反応を検査する指細小動脈拡張能検査プログラムであって、
所定のシーケンスにより圧迫される両手の指の各指動脈について、安静時および一方の前腕を駆血した後の再灌流時における脈波データ、または、所定のシーケンスにより圧迫される片手の異なる指の各指動脈について、安静時および一方の指を駆血した後の再灌流時における脈波データを記憶する脈波データ記憶部と、
前記脈波データ記憶部に記憶された前記脈波データに基づいて、脈波の交流成分の振幅を当該脈波の直流成分の平均値で除算してなる規準化脈波容積（ＮＰＶ）を一心拍ごとに算出するＮＰＶ算出部と、
最高血圧から最低血圧を減算してなる脈圧（ＰＰ）を取得する脈圧データ取得部と、
前記ＮＰＶ算出部が算出した規準化脈波容積（ＮＰＶ）を前記脈圧データ取得部が取得した脈圧（ＰＰ）で除算してなるコンプライアンス指数の再灌流時における両手の比を、安静時における両手の比で規準化してなる、指動脈の血管拡張反応を示す指標（ＦＣＲ比）、または、前記ＮＰＶ算出部が算出した規準化脈波容積（ＮＰＶ）を前記脈圧データ取得部が取得した脈圧（ＰＰ）で除算してなるコンプライアンス指数の再灌流時における片手の異なる指の比を、安静時における片手の異なる指の比で規準化してなる、指動脈の血管拡張反応を示す指標（ＦＣＲ比）を一心拍ごとに算出するＦＣＲ比算出部と
してコンピュータを機能させる指細小動脈拡張能検査プログラム。
【請求項１２】
前記ＦＣＲ比算出部は、再灌流時における両手のコンプライアンス指数の比を、安静時における両手のコンプライアンス指数の比で除算することで規準化する、または、再灌流時における片手の異なる指のコンプライアンス指数の比を、安静時における片手の異なる指のコンプライアンス指数の比で除算することで規準化する、請求項１１に記載の指細小動脈拡張能検査プログラム。
【請求項１３】
前記ＦＣＲ比は下記式（１）で示される、請求項１１または請求項１２に記載の指細小動脈拡張能検査プログラム。
ＦＣＲ比＝［ｌｎ（ＣＩｒ／ＣＩｃ）］ｙ−［ｌｎ（ＣＩｒ／ＣＩｃ）］ｘ  …式（１）
但し、ＣＩ：コンプライアンス指数（＝ＮＰＶ／ＰＰ）
ｒ：駆血を行った側の手または指を示す添え字
ｃ：駆血を行わない側の手または指を示す添え字
ｘ：安静時を示す添え字
ｙ：再灌流時を示す添え字
【請求項１４】
前記各指動脈を圧迫するカフのカフ圧を記憶するカフ圧データ記憶部と、
前記ＮＰＶが最大となった後の時刻ｔにおける最高血圧（ＳＢＰｔ）を下記式（２）により算出し、それらの平均値を最高血圧（ＳＢＰ）として推定するＳＢＰ推定部と、
ＳＢＰｔ＝（ｂ×（ＮＰＶｔ／ＮＰＶｍａｘ）＋ａ）×ＦＣｔ  …式（２）
但し、ＮＰＶｔ：時刻ｔにおけるＮＰＶ
ＮＰＶｍａｘ：ＮＰＶの最大値
ＦＣｔ：時刻ｔにおけるカフ圧（ＦＣ）
ａ，ｂ：定数
前記ＳＢＰ推定部が推定した最高血圧（ＳＢＰ）に基づいて、下記式（３）により脈圧推定値（ＰＰｓ）を算出する脈圧推定値算出部としてコンピュータを機能させるとともに、
ＰＰｓ＝（ＳＢＰ−ＭＢＰ）×３／２  …式（３）
但し、ＭＢＰ（平均血圧）：ＮＰＶが最大となった時のカフ圧
前記脈圧データ取得部は、前記脈圧推定値算出部が算出した前記脈圧推定値を脈圧として取得する、請求項１１から請求項１３のいずれかに記載の指細小動脈拡張能検査プログラム。
【請求項１５】
下記式（４）の直線回帰勾配（ｎ）である指動脈の弾力性指標（ＦＥＩ）と前記ＦＣＲ比とを二変数とするデータ群に基づいて、健常群か糖尿病群かの目的変数を数値にした重回帰式を判別関数として算出する判別関数算出部と、
ｌｎ（ＮＰＶ）＝ｌｎ（ｂｎ）−ｎ・Ｐｒ  …式（４）
但し、ｂ：定数
Ｐｒ：相対カフ圧（脈波の振幅が最大のときのカフ圧と各カフ圧の差）
前記判別関数に判別対象者の前記ＦＥＩおよび前記ＦＣＲ比を代入して判別得点を算出する判別得点算出部と、
前記判別得点に基づいて、前記判別対象者が健常群か糖尿病群かを判別する糖尿病判別部と
してコンピュータを機能させる、請求項１１から請求項１４のいずれかに記載の指細小動脈拡張能検査プログラム。
【国際調査報告】
2014054788.tif 000017
2014054788.tif 000018
2014054788.tif 000019
2014054788.tif 000020